(57)【要約】【課題】  スポットクーラへの取り付けが容易であり、シンプルな構造で、ドレン水の排水の手間がかからないドレン水処理装置を提供する。【解決手段】  ドレン水を吸い上げチューブ４６を介して吸引し、圧縮空気によりミスト化するミスト化装置３２を備える。ミスト化装置３２によりミスト化したドレン水ミストを、ミストチューブ５２を介して、吹き出しダクト１８ａの開口または凝縮器用放熱フィン６６に吹き出すノズル５０を備える。ミスト化装置３２をスポットクーラ１２に取り付ける磁気取付具３０を有し、既存のスポットクーラ１２に後付可能である。【選択図】図１
2006132799.tif 000002
【特許請求の範囲】
【請求項１】
空調機の冷却器で発生するドレン水を気化させて処理するドレン水処理装置において、前記ドレン水を圧縮空気によりミスト化するミスト化装置と、前記ミスト化装置によりミスト化したドレン水ミストを吹き出しダクトの開口に吹き出すノズルとを備えたことを特徴とするドレン水処理装置。
【請求項２】
空調機の冷却器で発生するドレン水を気化させて処理するドレン水処理装置において、前記ドレン水を圧縮空気によりミスト化するミスト化装置と、前記ミスト化装置によりミスト化したドレン水ミストを凝縮器用放熱フィンへ吹き出すノズルとを備えることを特徴とするドレン水処理装置。
【請求項３】
上記ミスト化装置は、既存の空調機に後付する取付具を備えたことを特徴とする請求項１、２記載のドレン水処理装置。
【発明の詳細な説明】
【技術分野】
【０００１】
この発明は、スポットクーラなどの空調機における冷却器で生じたドレン水を、ミスト化して処理する空調機のドレン水処理装置に関する。
【背景技術】
【０００２】
従来、大きな工場などの広い作業場では、局所的な空調を行うためにスポットクーラが用いられている。このスポットクーラは、冷却器と凝縮器を内蔵しており、空調を行うと冷却器表面の結露によるドレン水が発生する。このドレン水は、通常スポットクーラに内蔵したドレンタンクに溜まるようになっている。そして、ドレン水が満タンになると、人手によりドレンタンクをスポットクーラから取り出して、ドレンタンクに溜まったドレン水を排水し、再び、スポットクーラ内に戻していた。
【０００３】
このドレン水の排水作業の手間を省くため、特許文献１では、ドレン水を貯留する水タンクのなかに超音波霧化器を設けて、超音波霧化器により水タンク内のドレン水を霧化している。その霧化ドレン水の一部は、凝縮器を通して空調機内に導入され、排風路を経て凝縮器送風ファンにより空調機の外部へ排出される。また、霧化ドレン水の他の一部は、導出路を経て蒸発用送風ファンにより、空調機の冷風吹出しダクトへ排出されることが開示されている。
【０００４】
また、ドレンタンクからポンプでドレン水を汲み上げて、凝縮器に滴下することにより、ドレン水を蒸発させる方法が知られている。さらに、特許文献２では、凝縮器の上方に冷却器を設置し、ポンプを使用せずに、冷却器で生じたドレン水を凝縮器に滴下して蒸発させる方法が開示されている。
【特許文献１】特開平７−２４８１２８号公報
【特許文献２】特開２００１−１１６２８９号公報
【発明の開示】
【発明が解決しようとする課題】
【０００５】
しかし、特許文献１に開示された装置では、ドレン水を溜める水タンク内に、超音波霧化器を備える必要がある。この場合、スポットクーラの構造が複雑になる上、霧化したドレン水を排出するため、空調機内に導出路を設ける必要があり、既存のスポットクーラに取り付けることは難しいものである。また、特許文献２の装置の場合、冷却器から滴るドレン水を凝縮器の排熱により全て確実に蒸発させることが難しく、蒸発しなかったドレン水を受けるため、凝縮器の下方に受け皿が必要になる。この場合、受け皿にドレン水が溜まる都度、排水を行う必要があり、手間の掛かるものである。
【０００６】
この発明は、上記従来技術の問題に鑑みて成されたもので、空調機への取り付けが容易であり、シンプルな構造で、ドレン水の排水の手間がかからないドレン水処理装置を提供することを目的とする。
【課題を解決するための手段】
【０００７】
この発明は、空調機の冷却器で発生するドレン水を気化させて処理するドレン水処理装置であって、前記ドレン水を吸い上げチューブを介して圧縮空気によりミスト化するミスト化装置と、前記ミスト化装置によりミスト化したドレン水ミストを、ミストチューブを介して、排熱用または冷風用の吹き出しダクトの開口に吹き出すノズルとを備えたドレン水処理装置である。
【０００８】
またこの発明は、空調機の冷却器で発生するドレン水を気化させて処理するドレン水処理装置であって、前記ドレン水を圧縮空気によりミスト化するミスト化装置と、前記ミスト化装置によりミスト化したドレン水ミストを凝縮器用放熱フィンへ吹き出すノズルとを備えたドレン水処理装置である。
【０００９】
さらに、上記ミスト化装置は、既存のスポットクーラに後付する取付具を備えた。
【発明の効果】
【００１０】
この発明のドレン水処理装置によれば、スポットクーラなどの空調機への取り付けが容易であり、シンプルな構造で、確実にドレン水をミスト化し気化して処理することができる。これにより、ドレンタンクのドレン水を、排水する手間がかからないものである。さらに、吹き出しノズルより吹き出しダクトにミストを吹き出して処理する場合、吹き出しダクトから出る風から気化熱を奪い、特に高温の排風の場合、その温度を下げることにより周囲の温度上昇を抑えることができる。また、凝縮器側にミストを吹き出す場合、凝縮器をミストの気化熱により冷却するので、空調機の冷却効果を高めることができる。
【発明を実施するための最良の形態】
【００１１】
以下、この発明のドレン水処理装置の一実施形態について、図１、図２を基にして説明する。この実施形態のドレン水処理装置１０は、工場など作業場で、局所的な空調を行うスポットクーラなどに取り付けて使用される。
【００１２】
この実施形態のドレン水処理装置１０は、図１に示すように、スポットクーラ１２に取り付けられ、このスポットクーラ１２は、下面１４の四隅に移動可能なキャスタ１６を備えている。このスポットクーラ１２は、径の異なる太さを持つ大小２本の吹き出しダクト１８ａ，１８ｂを上面２０に備え、大小２本の吹き出しダクト１８ａ，１８ｂの筒部２２は、蛇腹状に形成されている。大径の吹き出しダクト１８ａは排熱用の排風ダクトであり、小径の吹き出しダクト１８ｂは冷風ダクトである。また、大小２本の吹き出しダクト１８ａ，１８ｂは、接続アダプタ２４により旋回可能にスポットクーラ１２に取り付けられている。スポットクーラ１２内部の下方には、ドレン水２４を溜めるドレンタンク２６が備えられている。
【００１３】
ドレン水処理装置１０内には、図示しない公知の冷却器と凝縮器が設けられている。大径の吹き出しダクト１８ａには、凝縮器から発生する排熱を、凝縮器用フィンを介して熱交換させるための凝縮器用ファンとその駆動モータが設けられている。同様に、小径の吹き出しダクト１８ｂには冷却器が接続され、冷却器用ファンとそのモータにより、吹き出しダクト１８ｂに冷風を送風可能に設けられている。
【００１４】
このスポットクーラ１２の上面２２の適宜な位置に、略直方体のミスト化装置３２が取り付けられている。ミスト化装置３２は、円盤状の磁気取付具３０を備え、磁力によりスポットクーラ１２に吸着固定されている。このミスト化装置３２は、図示しない位置に、エア抜きに使用するエア抜き用ボルト、圧縮空気の流量を調整するエア流量調整ネジ、内蔵するポンプの駆動に使用するエアパルスを作るパルスジェネレータを備えている。ミスト化装置３２の上面３４には、適宜な径を持つ軟質樹脂製の吸い上げチューブ３６が、入り側連結口３８に差し込まれている。吸い上げチューブ３６の一方の端部４０は、ドレンタンク２８に設けられた図示しない開口部から、挿入されている。この吸い上げチューブ３６内は、エア抜きされ、水が満たされている。ミスト化装置３２の一側面４２の接続口４４には、図示しないエアコンプレッサ装置から圧縮空気を供給する耐圧性の圧縮空気ホース４６が、切換弁４８を介して接続されている。さらに、ミスト化装置３２でミスト化したドレン水ミストをノズル５０に供給する軟質樹脂製のミストチューブ５２が、他の側面５４に設けられた吹出口５６に接続されている。
【００１５】
このミストチューブ５２は、ノズル分配器５８に接続され、ノズル分配器５８にはミストを吹き出すノズル４８を備えた金属製のノズル管５８が２本接続されている。このノズル管６０は、銅などの金属であり、曲げなどにより形状変化可能に形成されている。また、ノズル分配器５８は、径の太い方の吹き出しダクト１８ａの吹出口外周の縁６２に図示しない取付部材により取り付けられている。
【００１６】
次に、このドレン水処理装置１０の動作について説明する。まず、ミスト化装置３２の図示しないエア抜き用ボルトを緩めて、切換弁４８をＯＮにし、空気が出きったらエア抜きボルトを締める。そして、ミスト化装置３２の図示しないパルスジェネレータを調節して、図示しないポンプを高速に動作させると、ドレンタンク２８に挿入された吸い上げチューブ３６より、ドレン水２６が吸い出さる。吸い上げチューブ３６は予めエア抜きをしておく。エア抜きは、吸い上げチューブ３６に水を入れて内部の空気抜きを行う。吸い上げチューブ３６を水で満し、一端を指などで水がもれないように押さえて、もう一方の端部をミスト化装置３２の入り側連結口３８に差し込む。そして、指で押さえていた吸い上げチューブ３６の端部４０をドレンタンク２８の図示しない開口部から挿入し、ドレンタンク２６に吸い上げチューブ３６の端部４０が、ドレンタンク２８内の底に接触するようにする。
【００１７】
ドレンタンク２８内から吸引されたドレン水２６は、ミスト化装置３２によりミスト化され、ミストチューブ５２を通りノズル分配器５８からノズル管６０を経てノズル５０より吹き出される。
【００１８】
ミスト化装置３２では、図示しないエアコンプレッサ装置から供給された圧縮空気が、接続口４４に接続された圧縮空気ホース４６から圧送されると、図示しない空気パルスジェネレータによりエアパルス圧が発生する。エアパルスは、一定間隔で断続的に空気圧の上昇、下降を繰り返すものである。ミスト化装置３２には、ドレン水２６を押し出すピストンを内蔵し、このピストンは戻し方向に付勢力が作用するコイルバネを備えている。エアパルスにより発生した空気の圧力が上昇すると、このコイルバネの力に勝り、ピストンが押される。すると、押されたピストンの作用により水は吹出口より押し出され、エアコンプレッサからの圧縮空気により攪拌され、ミスト化されてノズル管５８に送られ、吹き出される。そして、エアパルスの空気圧が減少すると、ピストンはコイルバネにより戻されると同時に、２６ドレン水を吸い上げチューブ３６より吸い込むものである。
【００１９】
この実施形態のドレン水処理装置１０によれば、圧縮空気を動力とするため、電気的な配線が不要なシンプルなものであり、既存のスポットクーラ１２などの空調機への後付けが容易である。また、ドレン水２６をミスト化したドレン水ミストを、吹出ダクト１８ａに吹き出すことにより、確実に気化させることができるため、ドレンタンク２８のドレン水２６を、排水する手間がかからないものである。吹き出しノズル５０より排熱用の吹き出しダクト１８ａからミストを吹き出して処理する場合、吹き出しダクト１８ａから出る風から気化熱を奪い、特に高温の排風の場合、温度を下げることにより周囲の温度上昇を抑えることができる。
【００２０】
また、このミスト化装置１０を、図２に示すようにスポットクーラ１２に取り付けても良い。この場合、ミスト化装置３２を磁気取付具３０によりスポットクーラ１２の側面６４に装着して、スポットクーラ１２の凝縮器用放熱フィン６６側にノズル５０が位置するようにする。さらに、円盤状の磁気取付具６８を備えたノズル分配器５８を、スポットクーラ１２の側面６４の適宜な位置に、磁力により吸着して取り付ける。そして、ノズル５０が凝縮器用放熱フィン６６に対して平行よりやや凝縮器６６側に向くように、ノズル管６０を曲げる。
【００２１】
以上のようにして、ドレン水ミストを凝縮器６６に吹き付けることにより、凝縮器用放熱フィン６６をミストにより冷却し、冷却器側での冷却効果を上げることができる。
【００２２】
なお、この発明のドレン水処理装置は上記実施形態に限定されるものではなく、吸い上げチューブやミストチューブ、ノズル管は、チューブ状に形成されていればよいため、材質や太さなどは適宜選択可能なものである。また、ミスト化装置の形状は、吸い上げチューブや圧縮空気ホース及びミストチューブを繋ぐ吹出口があればよいため、ミスト化装置の形状及び表面に設ける各繋ぎ口の位置は適宜設定可能である。そのほか、分配器の取付方法は、分配器をしっかり固定できればよいため、適宜選択可能である。
【図面の簡単な説明】
【００２３】
【図１】この発明の一実施形態のドレン水処理装置のノズルを吹き出しダクトに吹き出し可能に取り付けた状態を示す概略側面図である。
【図２】この実施形態のドレン水処理装置のノズルを凝縮器用放熱フィンに吹き付け可能に取り付けた状態を示す概略側面図である。
【符号の説明】
【００２４】
１０  ドレン水処理装置
１２  スポットクーラ
１８ａ，１８ｂ  吹き出しダクト
２６  ドレン水
２８  ドレンタンク
３０  磁気取付具
３２  ミスト化装置
３６  吸い上げチューブ
４６  圧縮空気ホース
４８  切換弁
５０  ノズル
５２  ミストチューブ
５８  分配器
６０  ノズル管
６６  凝縮器用放熱フィン
【図１】
2006132799.tif 000003
【図２】
2006132799.tif 000004